(57)【要約】【課題】荷台及びそれを備えた貨物車両において、容易に移動壁の奥側に移動して掃除等の作業ができるようにする。【解決手段】前後方向に移動して積荷を後方に送り出し可能な積荷搬送装置６を底部に有して箱型に形成された貨物車両１の荷台４において、一対の側壁４ｂに前後移動可能に支持され、一対の側壁４ｂ、前壁、開閉可能な後壁及び積荷搬送装置で区切られる積荷収容部を前後に仕切る移動壁１０と、移動壁１０に取り付けられ、積荷搬送装置６の上に広げられた状態で積荷が積み込まれて、積荷搬送装置６によって後方に移動することにより移動壁を後方に移動させるシート３０と、移動壁に設けた開口部に、後方側に回動させて開くメンテナンス用ドア２０とを設ける。【選択図】図１
2020082746.tif 000002
【特許請求の範囲】
【請求項１】
前後方向に移動して積荷を後方に送り出し可能な積荷搬送装置を底部に有して箱型に形成された貨物車両の荷台であって、
一対の側壁に前後移動可能に支持され、上記一対の側壁、前壁、開閉可能な後壁及び上記積荷搬送装置で区切られる積荷収容部を前後に仕切る移動壁と、
上記移動壁に取り付けられ、上記積荷搬送装置の上に広げられた状態で積荷が積み込まれて、上記積荷搬送装置によって後方に移動することにより上記移動壁を後方に移動させるシート状部材と、
上記移動壁に設けた開口部に、後方側に回動させて開くドアとを備えている
ことを特徴とする貨物車両の荷台。
【請求項２】
請求項１に記載の貨物車両の荷台において、
上記ドアは、左右一方の辺がヒンジ部で上記開口部の周縁に連結された矩形板状であり、上記ヒンジ部が設けられていない左右他方の辺、上辺及び下辺の少なくとも一辺から外方に延びるストッパプレートが上記開口部の周縁に当接して閉じるように構成されている
ことを特徴とする貨物車両の荷台。
【請求項３】
請求項１又は２に記載の貨物車両の荷台において、
上記開口部の周縁の後面には、ロックレバーを下方へ回動させることで上記ドアを閉じた位置でロック可能なロック装置が設けられている
ことを特徴とする貨物車両の荷台。
【請求項４】
請求項１から３のいずれか１つに記載の貨物車両の荷台において、
上記シート状部材は、上記積荷搬送装置の上に広げられた状態で上記積荷搬送装置との接触部分から外れた部分に、該シート状部材を上記ドアに設けた被係止部に係止可能な係止金具が設けられている
ことを特徴とする貨物車両の荷台。
【発明の詳細な説明】
【技術分野】
【０００１】
本発明は、貨物車両の荷台に関する。
【背景技術】
【０００２】
従来より、例えば、特許文献１のように、床を前後にスライドさせて積荷を排出する積荷搬送装置付荷台において、床上を移動して積荷が床に残らないように後方へ押し出す移動壁を設けることが知られている。この移動壁は、荷台側壁上端のレールに沿って移動するチェーンによって下端部が吊り下げられており、荷台前壁側に引き寄せた状態で下端に広げた防水シート上に積荷が積載され、積荷の排出時には、積荷と共に床のスライド移動によって後方に移動することで、積荷を集めながら後方から排出できるように構成されている。
【先行技術文献】
【特許文献】
【０００３】
【特許文献１】米国特許第９，０９０，１９３号公報（特に図１０）
【発明の概要】
【発明が解決しようとする課題】
【０００４】
ところで、この種の移動壁は、左右端部にバッフル部等を設けることで隙間を減らし、できるだけ積荷が荷台前壁側に漏れないように構成されているが、ある程度漏れ出すことは避けられない。
【０００５】
しかしながら、移動壁が邪魔をして上方から入り込まない限り移動壁と荷台前壁との間の掃除等を行うことができない。
【０００６】
特許文献１の移動壁の左右中央にはアクセスパネルが設けられているが、このアクセスパネルは、移動壁にボルト締めされており、容易に脱着できないという問題がある。
【０００７】
また、漏れ出しやすい積荷（例えば木材チップ等）の場合、荷台前壁との間に比較的頻繁に移動して掃除することになるが、特許文献１の移動壁の場合、移動の度にボルトの付け外しを行う必要があり、作業が煩雑になるという問題もある。
【０００８】
本発明は、かかる点に鑑みてなされたものであり、その目的とするところは、容易に移動壁の奥側に移動して掃除等の作業ができる貨物車両の荷台を提供することにある。
【課題を解決するための手段】
【０００９】
上記の目的を達成するために、この発明では、移動壁に後方側へ回動可能なドアを設けた。
【００１０】
具体的には、第１の発明では、前後方向に移動して積荷を後方に送り出し可能な積荷搬送装置を底部に有して箱型に形成された貨物車両の荷台を対象とする。
【００１１】
上記荷台は、
一対の側壁に前後移動可能に支持され、上記一対の側壁、前壁、開閉可能な後壁及び上記積荷搬送装置で区切られる積荷収容部を前後に仕切る移動壁と、
上記移動壁に取り付けられ、上記積荷搬送装置の上に広げられた状態で積荷が積み込まれて、上記積荷搬送装置によって後方に移動することにより上記移動壁を後方に移動させるシート状部材と、
上記移動壁に設けた開口部に、後方側に回動させて開くドアとを備えている。
【００１２】
上記の構成によると、移動壁に開閉可能なメンテナンス用ドアが設けられているので、移動壁と前壁との間に容易に移動できる。また、このメンテナンス用ドアは、積荷収容部内に設けられているので、防水のためにメンテナンス用ドアと開口部周縁との間に、荷台前壁にメンテナンス用ドアを設ける場合に必要となるような密閉構造が不要となり、構造が簡易となる。
【００１３】
第２の発明では、第１の発明において、
上記ドアは、左右一方の辺がヒンジ部で上記開口部の周縁に連結された矩形板状であり、上記ヒンジ部が設けられていない左右他方の辺、上辺及び下辺の少なくとも一辺から外方に延びるストッパプレートが上記開口部の周縁に当接して閉じるように構成されている。
【００１４】
上記の構成によると、三方に設けたストッパプレートが移動壁の開口部周縁に確実に当接するので、積荷の荷重が加わったときにメンテナンス用ドアが前壁側へ開いてしまうことはなく、また、ストッパプレートと開口部周縁との間から積荷が前壁側に漏れ出さない。
【００１５】
第３の発明では、第１又は第２の発明において、
上記開口部の周縁の後面には、ロックレバーを下方へ回動させることで上記ドアを閉じた位置でロック可能なロック装置が設けられている。
【００１６】
上記の構成によると、積荷の荷重がロックレバーに対して下方（ロック方向）に加わるので、積荷の荷重によってロックレバーがロック位置に保持され、誤ってロックが外れてしまうことを防止できる。
【００１７】
第４の発明では、第１から第３のいずれか１つの発明において、
上記シート状部材は、上記積荷搬送装置の上に広げられた状態で上記積荷搬送装置との接触部分から外れた部分に、該シート状部材を上記ドアに設けた被係止部に係止可能な係止金具が設けられている。
【００１８】
上記の構成によると、係止金具が積荷搬送装置の表面に直接接触しないので、移動壁の移動に伴って係止金具によって積荷搬送装置の表面が傷付くのが避けられる。また、この被係止部がドアの取っ手にもなる。さらに、ドアをロックしていない状態でシートの係止金具を引っ掛けると、ドアがシートによって後方側に引っ張られて開くので、ロックし忘れに気付きやすくなる。
【発明の効果】
【００１９】
以上説明したように、本発明によれば、移動壁に設けたメンテナンス用ドアを後方に回動させて開くことにより、容易に移動壁の奥側に移動して掃除等の作業ができる。
【図面の簡単な説明】
【００２０】
【図１】本発明の実施形態に係る移動壁を示す背面図である。
【図２Ａ】貨物車両を示す側面図である。
【図２Ｂ】テールゲートを閉じた状態の一部拡大図を含む貨物車両を示す平面図である。
【図２Ｃ】移動壁を上方から見た図を含む、貨物車両を示す背面図である。
【図３】移動壁ロック装置を示し、（ａ）が側面図で、（ｂ）が（ａ）のIIIB方向から見た正面図である。
【図４】図１のIV−IV線拡大断面図である。
【図５】シートを拡大して示す平面図である。
【図６】図１のVI部拡大背面図である。
【図７】メンテナンス用ドアを示し、（ａ）が正面図で、（ｂ）が平面図で、（ｃ）が左側面図である。
【発明を実施するための形態】
【００２１】
以下、本発明の実施形態を図面に基づいて説明する。
【００２２】
図２Ａ〜図２Ｃに本発明の実施形態に係る、バークチップなどの積みのを積込可能な貨物車両１を示し、この貨物車両１は、走行可能な車台２と、その車台２の前方に設けた運転室３と、車台２に載置された荷台４とを備えている。
【００２３】
荷台４は、例えば、前後に長い直方体箱形状を有し、前壁４ａと、一対の側壁４ｂと、後方のテールゲート５とを備えている。これら一対の側壁４ｂ、前壁４ａ、開閉可能な後壁としてのテールゲート５及び上記積荷搬送装置６とで積荷収容部８が区切られている。
【００２４】
図示しないが、荷台４の上端に、この荷台４を覆う幌や天蓋などの部材を設けてもよい。テールゲート５は、例えば図２Ｂに拡大して示すように、側壁４ｂ後端に設けた垂直に延びる回動軸５ａを中心に観音開き状に開閉可能に構成されている。テールゲート５の上側には、左右の側壁４ｂを跨ぐクロスバー４ｃ（図２Ａに示す）が設けられている。荷台４の底部は、図２Ｂに一部を拡大して示すように、積荷搬送装置６を前後にスライドさせて積荷を排出する積荷搬送装置で構成されている。具体的には、略平坦な積荷搬送装置６には、例えば、前後に延びる、耐摩耗性の高い樹脂成形品よりなるガイドレール６ａが車幅方向に複数並んで配置され、各ガイドレール６ａ上を、床面全長よりも所定長さ短い長尺状のスライド部材７が、前後にスライド移動可能に設けられている。そして、例えば、静止させるスライド部材７と往復動させるスライド部材７とを適宜切り換えながら、油圧シリンダや油圧モータ等の駆動手段により往復動させることで、積荷を後方に移動させてテールゲート５から排出するように構成されている。
【００２５】
そして、図６にも拡大して示すように、荷台４は、一対の側壁４ｂの上部に前後に延びるレール部材１１を備えている。例えば、このレール部材１１は、下方が直線状に開放した断面略Ｃ型の部材よりなり、このレール部材１１に下方に延びる吊り下げ部材１２がローラ１２ａを介して吊り下げられている。この吊り下げ部材１２に対し、例えば、吊り環１２ｂを介して移動壁１０が吊り下げられている。なお、移動壁１０は、ワイヤーやチェーンを介してレール部材１１に吊り下げられていてもよい。
【００２６】
図１に示すように、移動壁１０は、一対の側壁４ｂの間隔よりも若干短い幅及び若干低い高さを有する矩形板状であり、中央にメンテナンス用ドア２０が設けられている（詳細は後述）。移動壁１０の前面は、図１に破線で示すように、格子状の複数の補強フレーム１０ａで補強されている。
【００２７】
そして、移動壁１０の下端には、積荷が載った状態で積荷搬送装置６を駆動させた場合に、スライド部材７との摩擦力によって移動壁１０を後方に移動させることができる強度と、屋外での使用に耐え得る耐候性と、不使用時に折り曲げて畳むことが可能な可撓性とを有する矩形状のシート３０が連結されている。このシート３０が、図２Ｂに実線で前端位置（Ｆ）を示すように、積荷搬送装置６の上に広げられた状態で積荷が積み込まれ、この積荷と共に、積荷搬送装置６の作用によって積荷搬送装置６上を中間位置（Ｍ）から後端位置（Ｒ）まで、二点鎖線で示すように後方に移動することにより、移動壁１０をスライド移動させるように構成されている。
【００２８】
なお、シート３０は、上記の強度、耐候性及び可撓性を備えていればよく、樹脂シート、布生地、ゴム板等を用いて形成可能である。
【００２９】
図４にも拡大して示すように、移動壁１０の左右端部には、上下に延びる左右ゴムシート１３がそれぞれ設けられている。また、図１等に示すように、移動壁１０の上端部には、左右に延びる上部ゴムシート１４が設けられている。左右ゴムシート１３が平面視で湾曲した形を保った状態で側壁４ｂに摺動しながら移動壁１０が後方へ移動することにより、積荷ができるだけ移動壁１０から前壁４ａ側へ漏れ出さないようになっている。
【００３０】
そして、図１等に示すように、移動壁１０の左右中央付近に開口部１０ｂが設けられている。この開口部１０ｂの周縁の例えば、後方から見て左側にヒンジ部１０ｃが設けられている。このヒンジ部１０ｃに、メンテナンス用ドア２０が、後方側に回動可能且つ開閉可能に設けられている。この開口部１０ｂの大きさ及び位置は、これに限定されず、移動壁１０の大きさ等に合わせて適宜変更可能であるが、作業者があまりかがまずに跨いで行き来できるようになっていることが望ましい。例えば、積荷搬送装置６からの高さをある程度保つことで、積荷搬送装置６（シート３０）上に積荷が残っていても、その積荷が邪魔にならずにメンテナンス用ドア２０を後方に開くことができて有利である。
【００３１】
なお、移動壁１０と前壁４ａとの間に移動しなくても例えば腕を伸ばせば必要な作業が行えるような場合は、メンテナンス用ドア２０（開口部１０ｂ）を腕に対応した大きさにしてもよい。
【００３２】
図７（ａ）〜（ｃ）に拡大して例示するように、メンテナンス用ドア２０は、矩形板状の後面板２０ａと、この後面板２０ａの前面に矩形枠状にアングルを固定して構成したドア枠部２０ｂとを有し、その前方から見て右辺がヒンジ部１０ｃで上記開口部１０ｂ（図１にのみ示す）の周縁に連結されている。
【００３３】
ドア枠部２０ｂのヒンジ部１０ｃが設けられていない前方から見て左辺、上辺及び下辺に外方に延びる開口部１０ｂよりも外側に飛び出す部分でストッパプレート２１が形成されている。このストッパプレート２１が開口部１０ｂの周縁に当接することで、メンテナンス用ドア２０は、移動壁１０の前方側には回動しないようになっている。
【００３４】
なお、上述のように、ストッパプレート２１をドア枠部２０ｂの左辺、上辺及び下辺それぞれに設ける構成以外にも、左辺、上辺及び下辺の少なくともいずれかに設ける構成でもよい。
【００３５】
そして、メンテナンス用ドア２０の後面板２０ａの上端側には、シート３０を引っ掛けるための、例えば一対のフック部材よりなる被係止部２３が設けられている。また、ヒンジ部１０ｃと反対側のストッパプレート２１には、上方が開放された切欠２４ａを有する被ロックプレート２４が突出して設けられている。
【００３６】
そして、開口部１０ｂの周縁の後面には、ロックレバー２２ａを下方へ回動させることで、上方に開放する切欠２４ａを有する被ロックプレート２４をロック可能なロック装置２２が設けられている。これにより、メンテナンス用ドア２０がロック装置２２によってロック可能に構成されている。
【００３７】
一方、図５に示すように、シート３０の上面には、このシート３０を移動壁１０の被係止部２３に係止可能な係止金具３１が設けられている。例えば、この係止金具３１は、中央に被係止部２３に係止可能な貫通孔が空いたハトメ金具であり、このハトメ金具がシート３０を構成する矩形状の布材に縫い込まれ、この布材の一辺がシート３０に縫い付けられている。シート３０は、例えば、２枚の布材を重ね合わせて中央部の格子状の圧着部３２で圧着すると共に、外周縁部を折り返して圧着することで折り返し部３３を設け、全体的に補強されている。係止金具３１と反対側の折り返し部３３には、ビス止め用取付孔３４が複数設けられている。このビス止め用取付孔３４にビスを通して移動壁１０の下辺に締結することにより、シート３０が移動壁１０の下端に堅固に連結されている。
【００３８】
さらに、移動壁１０には、図３（ａ）〜（ｃ）に示すように、移動壁１０を前壁４ａ側に固定するための移動壁ロック装置１５が設けられている。この移動壁ロック装置１５は、図４にも拡大して示すように、側壁４ｂの側方挿入部１５ｂ又は移動壁１０側の移動壁側挿入部１５ｃのいずれかに挿入可能なロック部材１５ａを有し、このロック部材１５ａがロック解除用ワイヤー１５ｄに接続されている。このロック解除用ワイヤー１５ｄは、前壁４ａの上側に設けたシーブ１５ｅに掛けられ、その下端が前壁４ａ下側のワイヤー用ブラケット１５ｆに連結されている。このように構成することで、図４に二点鎖線で示すように、例えば、空荷状態で走行するときなどに、ロック部材１５ａが移動壁側挿入部１５ｃ側に挿入されてロックされることにより、移動壁１０が後方へ移動するのが防止される。一方、ロック部材１５ａのロックを解除し忘れた状態で、荷台４内に積荷を積載した場合、荷台４内側からロック部材１５ａのロック解除ができない。この場合、荷台４外側からロック解除用ワイヤー１５ｄを引っ張ってロック部材１５ａを移動壁側挿入部１５ｃから外すことにより、ロック部材１５ａによるロックが解除される。
【００３９】
−貨物車両の作動−
次いで、メンテナンス用ドア２０や移動壁１０の作動を含む貨物車両の作動について説明する。
【００４０】
まず、荷台４に積荷を積載していない前端位置（Ｆ）では、図２Ｂで実線で示すように、移動壁１０は、前壁４ａのすぐ後面位置に保持されている。このとき、ロック部材１５ａは、図４に二点鎖線で示すように、移動壁側挿入部１５ｃに挿入されて移動壁１０が移動しないようにロックされている。
【００４１】
そして、積載を開始する前に、例えば、積荷搬送装置６上の作業者が、左右ゴムシート１３を手前に引いてロック部材１５ａを移動壁側挿入部１５ｃから上方へ引き抜いて側方挿入部１５ｂに差し込んでおき、移動壁１０のロック状態を解除しておく。仮にこのロック部材１５ａを外し忘れて積込作業を行ってしまったときでも、ロック解除用ワイヤー１５ｄを引っ張ってロック状態を解除することができる。
【００４２】
次いで、シート３０の係止金具３１を被係止部２３から外し、図２Ｂに実線で示すように、シート３０を積荷搬送装置６の表面に広げる。このとき、係止金具３１は、シート３０の上面側にある。
【００４３】
次いで、木製のチップなどの積荷の積載を開始する。通常積荷はシート３０の上も含め、積荷搬送装置６の全体に積み上げられる。このメンテナンス用ドア２０は、後方側に回動させるものであるため、ロックし忘れたような状態でシート３０上に積荷を積載したときでも、三方に設けたストッパプレート２１が移動壁１０の開口部１０ｂ周縁に確実に当接するので、積荷の荷重が加わったときにメンテナンス用ドア２０が前壁４ａ側へ開いてしまうことはなく、また、ストッパプレート２１の間から積荷が前壁４ａ側に漏れ出さない。そして、ロックレバー２２ａを下方へ回動させてメンテナンス用ドア２０をロックするのを忘れたときでも、積荷の荷重がロックレバー２２ａに対して下方に加わるので、積荷の荷重によって誤ってロックが外れてしまうことはない。
【００４４】
次いで、積載が終わると、貨物車両１は、積み降ろし場所に移動する。
【００４５】
次いで、積み降ろし場所で、積み降ろし作業を始める。まず、テールゲート５を開く。
【００４６】
次いで、積荷搬送装置６を作動させて徐々に積荷を荷台４の後端から排出する。このとき、シート３０の上に積荷が積載されているので、シート３０は積荷と共に後方へ移動する。このとき、積荷の荷重がシート３０にかかった状態で、これに対してスライド部材７が後方にスライドするので、シート３０の下面に金属部分があるとスライド部材７が傷付く可能性がある。そこで、シート３０の上面に係止金具３１を設けることで、係止金具３１が積荷搬送装置６の表面に直接接触しないので、移動壁１０の移動に伴って係止金具３１によって積荷搬送装置６の表面が傷付くのが避けられる。
【００４７】
そして、シート３０に引っ張られて図２Ａで中間位置（Ｍ）を示すように、移動壁１０が若干傾いた状態で後方に引っ張られる。移動壁１０は、一対のレール部材１１にローラ１２ａを介して吊り下げられているので、滑らかに後方へ移動する。このとき、移動壁１０の側壁４ｂ側には、左右ゴムシート１３が設けられているので、積荷は、左右ゴムシート１３から前壁側へ漏れにくい。また、シート３０によって下方からも前壁側へ積荷が漏れにくくなっている。
【００４８】
そして、図２Ａに二点鎖線で後端位置（Ｒ）を示すように、移動壁１０を荷台４の後端まで移動させた状態では、シート３０が荷台４の後端から地面に向かって広がるので、積荷が貨物車両１の下方へ流れ込みにくい。
【００４９】
最後に、積荷の排出が完了すると、まず、シート３０に付着したチップ等を払ってから、係止金具３１を被係止部２３に引っ掛けた後、移動壁１０を前方に押しながら前壁４ａ近傍まで移動させる。
【００５０】
そして、移動壁１０の前面と、前壁４ａの後面との間には、移動壁１０をスライド移動可能に構成する関係で隙間を完全にはなくせずチップなど小さな積荷がある程度残るので、メンテナンス用ドア２０を開いて掃除等を行う必要がある。
【００５１】
そこで、本実施形態では、移動壁１０に開閉可能なメンテナンス用ドア２０が設けられているので、移動壁１０と前壁４ａとの間に容易に移動できる。
【００５２】
なお、メンテナンス用ドア２０を開いて移動壁１０の前に移動したときに、メンテナンス用ドア２０を一時的に閉じて清掃等の作業を行えるように、移動壁１０の前面側に一時的にロックできるような機構を設けてもよい。
【００５３】
これにより、前壁４ａ側にメンテナンス用ドア２０を設ける必要がなくなる。また、このメンテナンス用ドア２０は、積荷収容部８内に設けられているので、防水のためにメンテナンス用ドア２０と開口部１０ｂ周縁との間に、荷台４前壁４ａにメンテナンス用ドア２０を設ける場合に必要となるような密閉構造が不要となり、構造が簡易となる。
【００５４】
したがって、本実施形態によれば、移動壁１０に設けたメンテナンス用ドア２０を後方に回動させて開くことにより、容易に移動壁１０の奥側に移動して掃除等の作業ができる。また、メンテナンス用ドア２０を開いて容易に掃除等を行える商品性の高い貨物車両１が得られる。
【００５５】
（その他の実施形態）
本発明は、実施形態について、以下のような構成としてもよい。
【００５６】
すなわち、実施形態では、長尺状のスライド部材７を前後にスライドさせる積荷搬送装置を備えた貨物車両に本発明を適用した例を説明したが、これ以外にも、例えば無端搬送ベルトを後方に移動させて積荷を降ろす積荷搬送装置を備えた貨物車両にも本発明を適用可能である。
【００５７】
上述の実施形態において、ロック部材１５ａがロック状態を検知するセンサを追加し、このセンサでロック状態が検知される場合には、積荷搬送装置６の駆動を規制するとともにロック状態を知らせる報知を行うようにしてもよい。
【００５８】
こうすれば、ロック部材１５ａがロック状態のまま積荷搬送装置６を駆動させて、ロック部材１５ａやシート３０が破損することを防止できる。
【００５９】
また、ＰＴＯスイッチがオンの状態で、ロック部材１５ａがロック解除状態であることが検知される場合に限って、ＰＴＯを駆動させて油圧ポンプから作動油を吐出させるようにしても、同様の効果を得ることができる。
【００６０】
上述の実施形態において、移動壁１０及びメンテナンス用ドア２０は積荷荷重に耐え得る強度の材料（例えば鋼材）を用いて形成されるが、一部に例えばガラスをはめ込むことで、移動壁１０と前壁４ａとの間の状態を視認できるようにしてもよい。このようにすれば、メンテナンス用ドア２０を開けなくても清掃作業の要否を判断することができる。
【００６１】
なお、以上の実施形態は、本質的に好ましい例示であって、本発明、その適用物や用途の範囲を制限することを意図するものではない。
【符号の説明】
【００６２】
１      貨物車両                      ２      車台
３      運転室                        ４      荷台
４ａ    前壁                          ４ｂ    側壁
４ｃ    クロスバー                    ５      テールゲート（開閉可能な後壁）
５ａ    回動軸                        ６      積荷搬送装置
６ａ    ガイドレール                  ７      スライド部材
８      積荷収容部                  １０      移動壁
１０ａ    補強フレーム                １０ｂ    開口部
１０ｃ    ヒンジ部                    １１      レール部材
１２      吊り下げ部材                １２ａ    ローラ
１２ｂ    吊り環                      １３      左右ゴムシート
１４      上部ゴムシート              １５      移動壁ロック装置
１５ａ    ロック部材                  １５ｂ    側方挿入部
１５ｃ    移動壁側挿入部              １５ｄ    ロック解除用ワイヤー
１５ｅ    シーブ                      １５ｆ    ワイヤー用ブラケット
２０      メンテナンス用ドア（ドア）  ２０ａ    ドア枠部
２０ａ    後面板                      ２１      ストッパプレート
２２      ロック装置                  ２２ａ    ロックレバー
２３      被係止部                    ２４      被ロックプレート
２４ａ    切欠                        ３０      シート（シート状部材）
３１      係止金具                    ３２      圧着部
３３      折り返し部                  ３４      ビス止め用取付孔
【図１】
2020082746.tif 000003
【図２Ａ】
2020082746.tif 000004
【図２Ｂ】
2020082746.tif 000005
【図２Ｃ】
2020082746.tif 000006
【図３】
2020082746.tif 000007
【図４】
2020082746.tif 000008
【図５】
2020082746.tif 000009
【図６】
2020082746.tif 000010
【図７】
2020082746.tif 000011